(57)【要約】【課題】本発明は心地良い温かさで常時乳房を直接温め、ほんのりとした温もりが得られると共にあたかも小動物を胸に抱いた際、その小動物の温もりが胸部を温めてリラックス状態となる如く、安心感が得られ、且つ、ストレスを発散させてセラピー効果が期待出来ると共に、夏場或いは冬場に特に快適に着用でき、且つ、肩こりが軽減可能となる発熱部分と接触冷感部分を併設したブラジャーを提供することを目的とする。【解決手段】ブラジャーの少なくとも前部１が、遠赤外線放射素材によって成された布地であり、少なくとも両脇部２が、吸湿性と吸汗性及び速乾性を有した布地で作られたものと成す。また後部３と肩紐部４を、遠赤外線放射素材によって成された布地或いは吸湿性と吸汗性及び速乾性を少なくとも有した布地を用い、夏用と冬用に使い分けするものとしても良い。又、ブラジャー全体が、弾性を有した布地で作られたものとするのが好ましい。【選択図】図２
2014101609.tif 000002
【特許請求の範囲】
【請求項１】
乳房に当接する左右のカップ部（11）を有する前部（１）と、該前部（１）からそれぞれ側方へ延伸した両脇部（２）と、その両脇部（２）と接続する後部（３）と、左右の前記カップ部（11）の上方から前記後部（３）に渡って肩に引掛けるための肩紐部（４）と、から成すブラジャーに於いて、少なくとも前記前部（１）が遠赤外線放射素材によって布地と成し、且つ、少なくとも前記両脇部（２）が吸湿性と吸汗性及び速乾性を有した布地として成したことを特徴とする発熱部分と接触冷感部分を併設したブラジャー。
【請求項２】
前記後部（３）と前記肩紐部（４）が、遠赤外線放射素材によって成された布地或いは吸湿性と吸汗性及び速乾性を少なくとも有した布地と成された請求項１記載の発熱部分と接触冷感部分を併設したブラジャー。
【請求項３】
前記両脇部（２）に、放湿性が更に加えられた布地である請求項１の発熱部分と接触冷感部分を併設したブラジャー。
【請求項４】
前記前部（１），前記両脇部（２），前記後部（３），前記肩紐部（４）が、弾性を有した布地である請求項１又は３の発熱部分と接触冷感部分を併設したブラジャー。
【発明の詳細な説明】
【技術分野】
【０００１】
本発明は心地良い温かさで常時乳房やその周辺及び肩などが直接温められる発熱部分を有すると共に脇の下或いは肩などが直接冷やされる接触冷感部分を有したブラジャーに関する。
【背景技術】
【０００２】
一般にブラジャーは、胸の形を整えるために使用され、或いは乳房を支えるために使用されているのが現状である。
【０００３】
又、健康と美を保つためのブラジャーの提案として、乳房を温めるブラジャーが特開２００３−２３９１０６で提案されている。これは、遠赤外線セラミックス練り込み糸から成る布地を使用し、立体裁断したブラジャーであり、且つ、それに特殊構造を有したブラジャーの提案である。この目的は、バストとその周辺を温めることにより、脇のリンパの流れや血流を良くし、乳腺の働きを良くし、胃を圧迫せず、肩紐に掛かる負担を軽減し、バストを正しく包み込むようにしたものである。しかしながら、特開２００３−２３９１０６は、乳房やその周辺が温められるので、夏場には不向きなものとなり、通年着用出来るものではなかった。
【０００４】
他方、授乳期の産婦は、母乳の出具合が悪い場合、病院や医院などで、専用の吸引器具を利用して乳が良く出るように指導している所や、乳房のマッサージ方法を指導すると共に乳房をお湯で温めたりして、乳が良く出るようにする指導を行う場合も多く見受けられる。又、冬場に於ける授乳は、胸元をはだけるため、寒くなり、タオル等を当てて寒さを防いでいるのが現状である。
【０００５】
尚、一般に授乳期の産婦は、母乳が充満し、乳房が張っている時には痛みや違和感を生じ、快適でなく、且つ、母乳を乳児に飲ませた後、乳房に母乳が残ると不快感を生じていた。このため、授乳用ブラジャーの胸部に冷却挿入部を形成し、その冷却挿入部に冷却具を入れ、且つ、産婦の胸部が冷却緩和用布を介して接触される構成にした授乳用ブラジャーが、実用新案登録第３１２９６４７号で提案されている。しかしながら、実用新案登録第３１２９６４７号は、本願のように乳房を温めて母乳の出具合を良好にするものと異なり、冷やすものである。
【先行技術文献】
【特許文献】
【０００６】
【特許文献１】特開２００３−２３９１０６号公報
【特許文献２】実用新案登録第３１２９６４７号公報
【発明の概要】
【発明が解決しようとする課題】
【０００７】
本発明は心地良い温かさで常時乳房を直接温め、ほんのりとした温もりが得られると共に、あたかも小動物を胸に抱いた際、その小動物の温もりが胸部を温めてリラックス状態となる如く、安心感が得られ、且つ、ストレスを発散させてセラピー効果が期待出来る発熱部分と接触冷感部分を併設したブラジャーを提供することを目的とする。
【０００８】
本発明の他の目的は、特に夏場或いは冬場に快適に着用でき、且つ、肩こりが軽減可能となる発熱部分と接触冷感部分を併設したブラジャーを提供するにある。
【課題を解決するための手段】
【０００９】
本発明は上記現状に鑑みて成されたものであり、つまり、ブラジャーの少なくとも前部が、遠赤外線放射素材によって成された布地であり、少なくとも両脇部が、吸湿性と吸汗性及び速乾性を有した布地で作られたものと成す。また後部と肩紐部を、遠赤外線放射素材によって成された布地或いは吸湿性と吸汗性及び速乾性を少なくとも有した布地を用い、夏用と冬用に使い分けするものとしても良い。又、両脇部に、放湿性が更に加えられた布地を用いると良く、またブラジャー全体が、弾性を有した布地で作られたものとするのが好ましい。
【発明の効果】
【００１０】
請求項１のようにブラジャーの少なくとも、前部（１）が遠赤外線放射素材によって布地と成すことにより、肌の内部から温められることが出来るため、確実に且つほんのりとした温もりが得られると共に、あたかも小動物を胸に抱いた際、その小動物の温もりが胸部を温めてリラックス状態となる如く、安心感が得られ、且つ、ストレスを発散させてセラピー効果が期待出来るものとなる。又、両脇部（２）が吸湿性と吸汗性及び速乾性を少なくとも有した布地を用いることにより、接触冷感が得られて両脇部（２）を心地良く冷やすことが可能なものとなるので、リンパ腺の腫れなどを鎮めると共に夏場に於いては、脇の下の大半の汗を吸収し、快適に着用できるものとなる。更に本発明品は発熱部分と接触冷感部分を併設することにより、発熱部分と接触冷感部分との温度差が、各部分のみの場合よりも大きくなるため、発熱部分の効果はより有効に、接触冷感部分の効果はより有効に、相乗効果が生じるものとなる。尚、上記前部（１）のカップ部（11）にパットが入れられた場合でも、遠赤外線はパットを通過して肌内部から温めるので、温かさが低減しない。
【００１１】
請求項２のように後部（３）と肩紐部（４）が、遠赤外線放射素材によって成された布地を用いることにより、特に冬場に於いては暖かく、常に乳房を適宜に温めることが出来るものとなるため、産婦の母乳の出具合を促進させることが可能となる共に心地良い温かさが一年中得られ、且つ、リンパ腺の腫れを緩和させることが可能となる。また後部（３）が吸湿性と吸汗性及び速乾性を少なくとも有した布地を用いることにより、夏場でも快適に着用できるものとなる。特に肩紐部（４）が、遠赤外線放射素材によって成された布地を用いることにより、常に肩やその周辺を適宜に温めることが出来るものとなるため、肩こりが軽減可能なものとなる。
【００１２】
請求項３に示すように両脇部（２）に、放湿性が更に加えられた布地を用いることにより、請求項１よりも高通気性が発揮されるものとなるので、リンパ腺の腫れがより有効に鎮められると共に夏場に於いては、脇の下の大半の汗を吸収して、心地良く冷やすことが可能なものとなる。
【００１３】
請求項４に示すように前部（１），両脇部（２），後部（３），肩紐部（４）の布地に、弾性を付与したものとすることにより、肌に密着して接触されるため、安定して温めたり、或いは冷やしたりすることが出来るものとなる。
【図面の簡単な説明】
【００１４】
【図１】本発明の実施形態を示す説明図である。
【図２】本発明の実施形態の側面を示す説明図である。
【発明を実施するための形態】
【００１５】
本発明の実施形態を図面に基づいて説明する。（１)は布製の授乳用ブラジャーの前部であり、該前部（１）には乳房に当接する左右のカップ部（11）がある。前記前部（１）は遠赤外線放射素材で編成して形成されるか、或いは遠赤外線放射素材を用いて不織布に形成させると良い。尚、本発明で言う「編成」とは、繊維を編んで所定の形状に成すことを指すものとする。また前記遠赤外線放射素材としては、遠赤外線セラミックス加工を施した素材、つまり、遠赤外線セラミックスを練り込んだ繊維や、繊維自体または布地に遠赤外線セラミックスを塗布し或いは印刷して、遠赤外線放射機能を有したものなどを用いると良い。
【００１６】
（２）は前部（１）からそれぞれ側方へ延伸した両脇部であり、該両脇部（２）は図２に示す細線の斜線部分、つまり、脇の下部分である。前記両脇部（２）は吸湿性，吸汗性，放湿性，速乾性を有すると共に弾性を有する布地を用いるのが好ましい。この両脇部（２）は上記斜線部分に限定される範囲ではなく、少なくとも脇の下部分を含んでいれば、斜線部分より広くても、狭くても良い。尚、前記吸湿性は、気体の汗を吸う性質で主に繊維の化学的な組成や物理的な編成などによって決まり、速乾性は、合成繊維を改質して吸湿性や吸汗性を高め、吸収した汗は素早く放出されて速乾性を有するものとなる。また吸汗性は、液体の汗を吸う性質で繊維の単位質量当りの表面積を大きくすると向上し、且つ、その毛細管現象で吸水性（吸汗性）が向上するものとなる。又、本発明で言う「接触冷感」を得るには、湿気や汗を吸収し且つそれを素早く発散して放出する際に生じる気化熱による冷却と、湿気や汗を吸収すると熱が吸収される性質を備えた布地による冷却と、その両方による冷却とがある。更に前記布地は、編み込みだけでなく不織布を用いても良い。
【００１７】
（３）は両脇部（２）と接続する後部であり、該後部（３）はブラジャーの背中側である。（４）は左右のカップ部（11）の上方から後部（３）に渡って肩に引掛けるための肩紐部である。前記後部（３）と肩紐部（４）は、遠赤外線放射素材によって編み込まれると共に弾性を有する布地を使用する場合と、吸湿性，吸汗性，放湿性，速乾性を有すると共に弾性を有する布地を用いる場合がある。この時に、遠赤外線放射素材が用いられると、特に冬用として適したブラジャーになり、一方、吸湿性，吸汗性，放湿性，速乾性を有する布地が用いられると、特に夏用として適したブラジャーとなる。尚、前部（１）とそれを固定する紐部とから成すブラジャーであっても、前部（１）を発熱部分と成し、紐部を接触冷感部分と成したものとしても良い。
【００１８】
このように本発明品は、前部（１）或いは後部（３）と肩紐部（４）を発熱部分と成し、両脇部（２）或いは後部（３）と肩紐部（４）を接触冷感部分と成すことにより、ブラジャーは発熱部分と接触冷感部分を併設した従来にはない新たなものとなるのである。
【００１９】
前記遠赤外線放射素材としては、日本エクスラン工業株式会社の登録商標「セラム  ソフト」を用いるのが好ましい。これはアクリル繊維に、超微粒セラミックス（遠赤外線放射セラミックス）を練り込んだ糸が使用されている。又、インターネット上のラジアンスネット横丁店で扱っているファーベストファイバー（光電子放射繊維）を用いても良い。これは高効率遠赤外線繊維の原糸であり、繊維中に超微粒子（光電子放射セラミックス）を練り込んだ糸である。
【００２０】
前記接触冷感部分は触った時に冷やっと感じるものである。この素材は繊維中に水分を多く含むことができ、熱伝導率が高いものである。このように肌に触れて涼しく感じる素材としては、例えば、クラレ製の「ソフィスタ」の素材，ユニクロ製・東レ製の「サラフィン／シルキードライ」と同質材料,ダイワボウ製の「クールドライ（登録商標）」を用いた布地などを用いるのが好ましい。
【００２１】
次に本発明の作用について説明する。先ず始めに図１に示すようにブラジャーを着用すると、左右のカップ部（11）が乳房に当接し、そこに熱が生じるので、その熱によって乳房とその周辺を温めると共に常時気持ちの良い温度で温めることが可能となる。このため、あたかも小動物を胸に抱いた際、その小動物の温もりが胸部を温めてリラックス状態となる如く、安心感が得られ、且つ、ストレスを発散させてセラピー効果が期待出来るものとなる。また乳腺の血行を促進させ、乳腺の働きが良くなるため、産婦が本発明品を着用すれば、母乳の出具合が良くなるのである。
【００２２】
又、両脇部（２）を接触冷感部分と成しているので、脇の下のリンパ腺が腫れた際、リンパ腺を冷やし、腫れ具合を緩和させることが出来るものとなるのである。特に、後部（３）と肩紐部（４）に遠赤外線放射素材によって編み込まれた布地を用いれば、前後から温められて心地良い温かさが確実に得られるため、冬場に着用すれば重宝なブラジャーとなり、且つ、肩紐部（４）によって、肩を温めその肩部の血行が良くなることにより、肩こりが軽減可能なものとなるのである。一方、後部（３）と肩紐部（４）に吸湿性，吸汗性，放湿性，速乾性を有する布地を用いれば、前部（１）以外が冷やされて心地良さを得ることが可能なものとなるため、夏場に着用すれば重宝なブラジャーとなる。
【００２３】
１  前部
11  カップ部
２  両脇部
３  後部
４  肩紐部
【図１】
2014101609.tif 000003
【図２】
2014101609.tif 000004